(57)【要約】【課題】洗い場１の床下に容器状のトラップ本体２を設け、このトラップ本体２内に封水筒３を配置し、浴槽の排水をトラップ本体２内に流入させる浴槽排水管４，１０をトラップ本体２下部に連結するとともに、トラップ本体２内に流入した浴槽及び洗い場１の排水を外部排水路に排水する排水主管５をトラップ本体２上部に連結し、洗い場１とトラップ本体２内とを封水筒３を介して連結した排水トラップにおいて、排水主菅の配置に関わらず、トラップ本体２内でのサイフォン現象による排水音が使用者に不快感を与えない程度に抑制できる排水トラップを提供すること。【解決手段】封水筒３の取付高さ位置を調節可能として、サイフォン現象による排水音が大きいときは、封水筒３の取付高さを低くしてトラップ本体２内の排水抵抗を増加させ、排水主菅５への排水流量を減少させることによりサイフォン現象を防止するようにした。【選択図】  図１
2004353212.tif 000002
【特許請求の範囲】
【請求項１】
洗い場の床下に容器状のトラップ本体を設け、このトラップ本体内に封水筒を配置し、浴槽の排水をトラップ本体内に流入させる浴槽排水管をトラップ本体下部に連結するとともに、トラップ本体内に流入した浴槽及び洗い場の排水を外部排水路に排水する排水主管をトラップ本体上部に連結し、洗い場とトラップ本体内とを封水筒を介して連結してなる排水トラップにおいて、封水筒の取付高さ位置を調節可能としてなることを特徴とする排水トラップ。
【請求項２】
略円筒状の封水筒本体の上端開口部の一端に外方に向けて取付片を突設して封水筒を形成し、トラップ本体の洗い場排水口と連通する開口部を封水筒本体が挿通可能な大きさの略円孔状に形成するとともに、この開口部の内周面に、一端に封水筒の取付片が上下挿通可能な欠切部を有するフランジ片を突設し、このフランジ片を上下に離間して並設し、上下に隣接するフランジ片の欠切部を上下に重ならない位置に設けてなることを特徴とする請求項１記載の排水トラップ。
【請求項３】
隣接する上下フランジ間の隙間の上フランジの欠切部近傍の下フランジの欠切部と反対側の位置に封水筒の取付片が当接するストッパ片を設けてなることを特徴とする請求項２記載の排水トラップ。
【発明の詳細な説明】
【０００１】
【発明の属する技術分野】
本発明は、浴槽の排水と洗い場の排水との合流部分に配置した排水トラップにに関する。
【０００２】
【従来の技術】
従来、図４に示すように、浴槽の排水と洗い場の排水との合流部分に配置した排水トラップにあっては、洗い場の床下に容器状のトラップ本体３１を設け、このトラップ本体３１内に封水筒３２を配置し、浴槽の排水をトラップ本体３１内に流入させる浴槽排水管３３をトラップ本体３１下部に連結するとともに、トラップ本体３１内に流入した浴槽及び洗い場の排水を外部排水路に排水する排水主管３４をトラップ本体３１上部に連結し、洗い場とトラップ本体３１内とを封水筒３２を介して連結しているものが一般的である。トラップ本体３１は、浴槽排水管３３に接続された内筒３１ａと、この内筒３１ａに同軸に配置され排水主管３４に接続される外筒３１ｂとを有し、この内筒３１ａ内に封水筒３２が挿通配置されている。
【０００３】
このような排水トラップでは、浴槽排水管３３内を流れる浴槽排水は、接続部３５を介して内筒３１ａ内に流入し、内筒３１ａ内周面と封水筒３２外周面との間のリング状の隙間を上昇して内筒上端開口部から外筒３１ｂ内に流入し、接続部３６を介して排水主管３４を通って外部の下水管などに排水される。また洗い場の排水は、洗い場の排水口３８から封水筒３２内を下降して内筒３１ａ内に流入し、後は浴槽排水と同様に、内筒３１ａ内周面と封水筒３２外周面との間の隙間、外筒３１ｂ及び排水主管３４を通って外部の下水管などに排水される。排水後は、内筒３１ａ内に貯留した水に封水筒３２下端部が水没した状態が維持され、排水主管３４と洗い場とをこの貯留水によって遮断し、排水主管３４からの臭気や虫の洗い場への侵入を防止している。この排水主管３４は、下水管に連結され浴槽や洗い場の排水を下水管へ排水するものであるが、下水管の配置によっては長手方向が鉛直方向に取り付けられ、Ｌ型パイプ３７によってトラップ本体３１の排水口に連結されるものもある。
【０００４】
【特許文献１】
特開２００１−９８６０３号公報
【０００５】
【発明が解決しようとする課題】
しかしながら上記従来の排水トラップでは、浴槽や洗い場の排水が一気にトラップ本体内に流入したときなどこの大量の排水を排水主管から一気に排水できずに、トラップ本体の外筒の排水口付近の排水路が満水となった状態で排水が行われるというサイフォン現象が発生していることがある。そして浴槽や洗い場の排水圧が小さくなったときに、この排水路に浴槽や洗い場の空気が流入してサイフォン現象が遮断され、このとき排水路の水が一気に排水主管に排水されるため、トラップ本体内でゴポゴポという排水音が発生することがある。特に下水管の取付配置によって排水主菅が鉛直方向になるような場合、排水路の水がより早く排水主管から排水されるためにより大きな排水音が発生し、排水浴室内の使用者に不快感を与えることがあるという問題がある。
【０００６】
一方、このサイフォン現象を防ぐために、トラップ本体内の排水抵抗を大きくして排水主菅への浴槽や洗い場の排水流量を小さくし、トラップ本体の外筒の排水口付近の排水路が満水ならないようにする方法が考えられるが、排水流量を小さくすると排水時間がかかり、浴槽清掃など使用者が早く排水したいときなどに不便感を与えるという問題がある。
【０００７】
本発明は、上記事由に鑑みてなされたものであり、その目的は、排水主菅の配置に関わらず、トラップ本体内でのサイフォン現象による排水音が使用者に不快感を与えない程度に抑制できる排水トラップを提供することにある。
【０００８】
【課題を解決するための手段】
請求項１記載の発明は、洗い場の床下に容器状のトラップ本体を設け、このトラップ本体内に封水筒を配置し、浴槽の排水をトラップ本体内に流入させる浴槽排水管をトラップ本体下部に連結するとともに、トラップ本体内に流入した浴槽及び洗い場の排水を外部排水路に排水する排水主管をトラップ本体上部に連結し、洗い場とトラップ本体内とを封水筒を介して連結してなる排水トラップにおいて、封水筒の取付高さ位置を調節可能としてなることを特徴として構成している。
【０００９】
このような排水トラップでは、容器状のトラップ本体内に配置された封水筒の取付高さ位置が調整でき、封水筒を低くすると封水筒下端とトラップ本体底面との距離が短くなるとともに封水筒外周面とトラップ本体の内壁面との隙間の長さが長くなるため、トラップ本体内での排水抵抗が増加し、逆に封水筒を高くすると封水筒下端とトラップ本体底面との距離が長くなるとともに封水筒外周面とトラップ本体の内壁面との隙間の長さが短くなるため、トラップ本体内での排水抵抗が減少する。したがって排水主菅の取付状況に応じてサイフォン現象による排水音が大きいときは、封水筒の取付高さを低くしてトラップ本体内の排水抵抗を増加させ、排水主菅への排水流量を減少させることによりサイフォン現象を防止し、このサイフォン現象による大きな排水音を防止できる。また現場調整により使用者に不快感を与えない程度の排水抵抗に調整できるので、排水抵抗を必要以上に大きくすることなく、排水流量を大きく損なうことなく適度なものに調節することができる。
【００１０】
また請求項２記載の発明は、請求項１記載の発明において、略円筒状の封水筒本体の上端開口部の一端に外方に向けて取付片を突設して封水筒を形成し、トラップ本体の洗い場排水口と連通する開口部を封水筒本体が挿通可能な大きさの略円孔状に形成するとともに、この開口部の内周面に、一端に封水筒の取付片が上下挿通可能な欠切部を有するフランジ片を突設し、このフランジ片を上下に離間して並設し、上下に隣接するフランジ片の欠切部を上下に重ならない位置に設けてなることを特徴として構成している。
【００１１】
このような排水トラップでは、トラップ本体の洗い場排水口と連通する開口部に上方から封水筒本体が挿通し、封水筒の取付片が開口部のフランジ片上に置かれた状態で開口部に封水筒を取り付ける。封水筒の高さを低くしたいときは、封水筒の回転させフランジ片の欠切部上方に封水筒の取付片を位置合わせして封水筒を下げると、封水筒の取付片がフランジ片の欠切部を挿通し、上下に隣接する両フランジ片の対応する欠切部は上下に重ならない位置にあるので、フランジ片の欠切部を挿通した封水筒の取付片は、必ず下方に隣接する他のフランジ片上に置かれて取り付けられる。これにより封水筒は上下フランジ片の間隔距離だけ下方位置に高さ調節できる。さらに封水筒を下げたいときは、封水筒を回転させフランジ片の欠切部と封水筒の取付片とを位置合わせした後に同様な操作により行うことができる。
【００１２】
また請求項３記載の発明は、請求項２記載の発明において、隣接する上下フランジ間の隙間の上フランジの欠切部近傍の下フランジの欠切部と反対側の位置に封水筒の取付片が当接するストッパ片を設けてなることを特徴として構成している。
【００１３】
このような排水トラップでは、封水筒の取付片とフランジ片の欠切部とを位置合わせし取付片を欠切部に挿通させた後、欠切部と反対方向にを回転させると、取付片がストッパ片に当接した位置で回転が止まり位置保持される。これによりさらに封水筒を下げたいときに封水筒の回転方向を気にすることなく、封水筒が回転する方向に回転させて容易に封水筒の取付片とフランジ片の欠切部とを位置合わせすることができる。
【００１４】
【発明の実施の形態】
以下、本発明の実施形態の排水トラップを図１乃至図３に基づいて説明する。
【００１５】
図１は、本発明の実施形態の排水トラップを示す要部の縦断面図であり、図３におけるＡ−Ａ断面を示す。また、図２は、同上の排水トラップに用いる部品の一部を示す斜視図である。また、図３は、同上の排水トラップを用いた浴室内の床下を示し、（ａ）は平面図であり、（ｂ）は側面図である。
【００１６】
図１乃至図３に示すように、この排水トラップは、洗い場１の床下に容器状のトラップ本体２を設け、このトラップ本体２内に封水筒３を配置し、浴槽の排水をトラップ本体２内に流入させる浴槽排水管４，１０をトラップ本体２下部に連結するとともに、トラップ本体２内に流入した浴槽及び洗い場１の排水を外部排水路に排水する排水主管５をトラップ本体２上部に連結し、洗い場１とトラップ本体２内とを封水筒３を介して連結してあり、封水筒３の取付高さ位置を調節可能としているものである。また、略円筒状の封水筒本体３ａの上端開口部の一端に外方に向けて取付片３ｂを突設して封水筒３を形成し、トラップ本体２の洗い場排水口１１と連通する開口部を封水筒本体３ａが挿通可能な大きさの略円孔状に形成するとともに、この開口部の内周面に、一端に封水筒３の取付片３ｂが上下挿通可能な欠切部６を有するフランジ片７を突設し、このフランジ片７を上下に離間して並設し、上下に隣接するフランジ片７の欠切部６を上下に重ならない位置に設けている。また、隣接する上下フランジ間の隙間の上フランジの欠切部６近傍の下フランジの欠切部６と反対側の位置に封水筒３の取付片３ｂが当接するストッパ片８を設けている。
【００１７】
排水トラップは、浴室の浴槽と隣接する洗い場１の床面上に敷設された床パンに設けられており、浴槽内の排水口に接続されて浴槽排水を行う浴槽配水管と、洗い場１の水道側に設けた洗い場排水口１１に接続されて洗い場１排水を行う洗い場１菅と、トラップ本体２に集水した浴槽や洗い場１の排水を下水管などへ排水する排水主菅とに接続されているものである。
【００１８】
トラップ本体２は、下部に設けた有底筒状の貯水筒部１３と上部に設けた上下に開口部を有する筒部１４とを一体にして形成されており、全体として上方に開口した容器状のものである。筒部１４は、その筒径を貯水筒部１３の筒径よりも大きい略円筒状に形成して貯水筒部１３の上方位置に配置したものである。この筒部１４の一側端には排水主菅へ連通する排水開口１５が設けられ、この排水開口１５の開口部外周縁に円筒状の排水接続部１６が突設形成されている。またこの筒部１４の排水開口１５と反対側の他側端の下部に浴槽配水管へ連通する導水開口１７が設けられ、この導水開口１７の開口部外周縁に円筒状の導水接続部１８が突設形成されている。この導水接続部１８は筒部１４内方に延設され後述するように筒部１４内方の貯水筒部１３に設けた導水開口１７に連通するよう形成してある。貯水筒部１３は、前述のように筒部１４の導水開口１７と対向する側壁下部の位置に導水接続部１８に連通する導水開口１７が設けられており、浴槽排水菅内の浴槽排水を導水接続部１８を経由して貯水筒部１３の下部に導水するようにしてある。また貯水筒部１３の上端は筒部１４の排水開口１５の上端と略同程度の高さに位置しており、貯水筒部１３上端からあふれた浴槽排水が筒部１４内に進入して排水開口１５から排水されるようにしてある。このトラップ本体２の筒部１４上端は、後述するように床パンの洗い場排水孔２１に取り付けられる略リング状の固定部材２２に水密に取り付け固定されている。
【００１９】
封水筒３は、後述する取付部材２３に取付られてトラップ本体２の貯留筒部１４内の上部に配置さるものであり、トラップ本体２の貯水筒部１３よりも小さい筒径を有する略円筒状の筒本体と、この筒本体の上端開口部に一体に外方へ延設されたつば部３ｃと、このつば部３ｃの一端に延設された平板状の取付片３ｂとから形成されている。封水筒３が取り付けられた状態では、封水筒３下端縁は貯留筒部１４下部の底面と適度な隙間を隔てて配置され、封水筒３外周面の大部分は貯留筒部１４の内周面と適度な隙間を隔てて大向するようにしている。
【００２０】
トラップ本体２を取り付ける固定部材２２は、ドーナツ板状の水平片２２ａと、この水平片２２ａの内周縁部に垂下され下方開口のリング状の保持溝２２ｂを有する縦断面視略コ字型の保持片２２ｃと、水平部２３ａの外周縁部に立設された周壁片２２ｄと、この周壁片２２ｄの上端に外方へ延設され後述する取付部材２３と上下で床パンを挟持する挟持片２２ｅとを有している。保持溝２２ｂの外径はトラップ本体２の筒部１４の上端開口径と略同寸に形成され、この保持溝２２ｂ内に筒部１４上端部を収納保持してトラップ本体２を取り付けているものである。また周壁片２２ｄの内周面には後述する取付部材２３をねじ込んで係合するためのネジ固定部が形成されている。
【００２１】
取付部材２３は、固定部材２２に取り付けられ封水筒３をトラップ本体２の貯水筒部１３の上方位置に保持するよう取り付けるものであり、ドーナツ板状の水平部２３ａと、この水平部２３ａの内周縁部に垂下され内壁面にフランジ片７が突設された略円筒状の内周壁部２３ｂと、水平部２３ａの外周縁部に立設された外周壁部２３ｃと、この外周壁部２３ｃの上端に外方へ延設され固定部材２２の挟持片２２ｅと上下に対向して一対に床パンを挟持する挟持部２３ｄとを有している。内周壁部２３ｂの内径は封水筒３の取付片３ｂ外径よりもやや長く形成され、封水筒３を内周壁部２３ｂの開口に上下挿通可能としている。フランジ片７は、内周壁部２３ｂの内周面に突設され、少なくとも厚みよりも幅広の適度の隙間距離を隔てて上下方向に複数個設けられている。フランジ片７の開口径は封水筒本体３ａの外径よりもやや長く、取付片３ｂ外径よりもやや短く形成され、フランジ片７上面に取付片３ｂを支持した状態でフランジの開口に封水筒本体３ａを挿通保持するようにしている。このフランジ片７に一端部を切り欠いて封水筒３の取付片３ｂ外形よりも大きい欠切部６が形成されており、取付片３ｂをこの欠切部６を挿通して上下フランジ間の隙間を上下方向に移動可能としている。これにより、封水筒３の高さをフランジの上下間隔距離だけ段階的に調節することができる。また欠切部６は、隣接する上下フランジでその位置が左右にずれた位置に形成され、上フランジの欠切部６をくぐり抜けた取付片３ｂが下フランジで止まるように形成されている。また、最下端のフランジ片７は、封水筒３が抜け落ちないよう欠切部６を有さずさらに内方に延設され、先端が下方に曲設された後、この下端が封水筒本体３ａと接する程度に内方に延設されている。この延設片２３ｅにはリング状のパッキン２４を保持しており、洗い場１の排水が封水筒３と取付部材２３との隙間からトラップ本体２内に漏れ落ちないようにしている。また、取付部材２３の外周壁部２３ｃの外径は固定部材２２の周壁片２２ｄの内径と略同寸に形成されるともに外周面に固定部材２２のネジ固定部のねじ込まれるネジ部が形成されている。また、ストッパ片８は、隣接する上下フランジ間の隙間の上フランジの欠切部６近傍の下フランジの欠切部６と反対側の位置に縦板状に一体に形成されている。
【００２２】
排水主菅は、トラップ本体２内の浴槽排水や洗い場１排水を外部の下水管などに排水するものであり、長手方向を鉛直方向としてトラップ本体２の近傍にその上端部が配置されている。この上端開口部とトラップ本体２の排水接続部１６とはＬ型パイプ２５を介して連結され、トラップ本体２の排水接続部１６からの排水がＬ型パイプ２５内を通過して排水主菅に排水されるようにしている。
【００２３】
このような排水トラップは、以下のようにして取り付け施工される。まず洗い場１床面上に床パンを敷設しない状態で、浴槽排水菅、洗い場１排水菅、排水主菅をそれぞれ取り付ける。次に洗い場１床面上にトラップ本体２を載置し、トラップ本体２の排水接続端部と排水主菅上端部とをＬ型パイプ２５を外嵌して水密に固定する。次に浴槽接続筒部１４に浴槽排水菅の端部を、洗い場１接続筒部１４に洗い場１排水菅をそれぞれ外嵌して水密に固定する。次に固定部材２２の保持溝２２ｂにトラップ本体２の筒部１４上端部を内嵌してトラップ本体２に固定部材２２を取り付ける。次に床パンの排水孔を固定部材２２上に位置合わせし、固定部材２２の挟持片２２ｅ上に床パンの排水孔周縁部を支持させて洗い場１床面上に床パンを敷設する。次に床パン上から取付部材２３のネジ部を固定部材２２のネジ固定部にねじ込んで取付部材２３の水平部２３ａ下面が固定部材２２の水平片２２ａ上面に当接させて取付部材２３を固定部材２２に取り付ける。このとき、固定部材２２の挟持片２２ｅと取付部材２３の挟持部２３ｄとで床パンの排水孔周縁部を挟持し、洗い場１上の水が排水孔と固定部材２２の隙間から洗い場１床面上に漏れ落ちないようにしている。次に排水孔上に封水筒３を配置して下降させフランジ片７上に取付片３ｂを支持させて取付部材２３に封水筒３を取り付ける。
【００２４】
このような排水トラップでは、容器状のトラップ本体２内に配置された封水筒３の取付高さ位置が調整でき、封水筒３を低くすると封水筒３下端とトラップ本体２底面との距離が短くなるとともに封水筒３外周面とトラップ本体２の内壁面との隙間の長さが長くなるため、トラップ本体２内での排水抵抗が増加し、逆に封水筒３を高くすると封水筒３下端とトラップ本体２底面との距離が長くなるとともに封水筒３外周面とトラップ本体２の内壁面との隙間の長さが短くなるため、トラップ本体２内での排水抵抗が減少する。したがって排水主菅の取付状況に応じてサイフォン現象による排水音が大きいときは、封水筒３の取付高さを低くしてトラップ本体２内の排水抵抗を増加させ、排水主菅への排水流量を減少させることによりサイフォン現象を防止し、このサイフォン現象による大きな排水音を防止できる。また現場調整により使用者に不快感を与えない程度の排水抵抗に調整できるので、排水抵抗を必要以上に大きくすることなく、排水流量を大きく損なうことなく適度なものに調節することができる。また封水筒３を上げるときは上記の逆の作業を行うことにより実現できる。
【００２５】
また、トラップ本体２の洗い場排水口１１と連通する開口部に上方から封水筒本体３ａが挿通し、封水筒３の取付片３ｂが開口部のフランジ片７上に置かれた状態で開口部に封水筒３を取り付ける。封水筒３の高さを低くしたいときは、封水筒３の回転させフランジ片７の欠切部６上方に封水筒３の取付片３ｂを位置合わせして封水筒３を下げると、封水筒３の取付片３ｂがフランジ片７の欠切部６を挿通し、上下に隣接する両フランジ片７の対応する欠切部６は上下に重ならない位置にあるので、フランジ片７の欠切部６を挿通した封水筒３の取付片３ｂは、必ず下方に隣接する他のフランジ片７上に置かれて取り付けられる。これにより封水筒３は上下フランジ片７の間隔距離だけ下方位置に高さ調節できる。さらに封水筒３を下げたいときは、封水筒３を回転させフランジ片７の欠切部６と封水筒３の取付片３ｂとを位置合わせした後に同様な操作により行うことができる。
【００２６】
また、封水筒３の取付片３ｂとフランジ片７の欠切部６とを位置合わせし取付片３ｂを欠切部６に挿通させた後、欠切部６と反対方向にを回転させると、取付片３ｂがストッパ片８に当接した位置で回転が止まり位置保持される。これによりさらに封水筒３を下げたいときに封水筒３の回転方向を気にすることなく、封水筒３が回転する方向に回転させて容易に封水筒３の取付片３ｂとフランジ片７の欠切部６とを位置合わせすることができる。またストッパ片８近傍の上下フランジ間の隙間をやや縮幅して取付片３ｂの厚み程度にしておくてもよく、この場合、取付片３ｂがストッパ片８に当接した位置で上下フランジに挟持されるので、取り付けた状態の封水筒３の回転やぐらつきを防止している。
【００２７】
また、封水筒３は、床パン上から取り扱いできるので、排水トラップを取付施工した後に、排水音を聞きながらいつでも容易に封水筒３の取付高さを調節できる。
【００２８】
【発明の効果】
請求項１記載の発明では、容器状のトラップ本体内に配置された封水筒の取付高さ位置が調整できるので、排水主菅の取付状況に応じてサイフォン現象による排水音が大きいときは、封水筒の取付高さを低くしてトラップ本体内の排水抵抗を増加させ、排水主菅への排水流量を減少させることによりサイフォン現象を防止し、このサイフォン現象による大きな排水音を防止できる。また現場調整により使用者に不快感を与えない程度の排水抵抗に調整できるので、排水抵抗を必要以上に大きくすることなく、排水流量を大きく損なうことなく適度なものに調節することができる。
【００２９】
また請求項２記載の発明では、封水筒の高さを低くしたいときは、封水筒の回転させフランジ片の欠切部上方に封水筒の取付片を位置合わせして封水筒を下げると、封水筒の取付片がフランジ片の欠切部を挿通し、上下に隣接する両フランジ片の対応する欠切部は上下に重ならない位置にあるので、フランジ片の欠切部を挿通した封水筒の取付片は、必ず下方に隣接する他のフランジ片上に置かれて取り付けられる。したがって、上下フランジ片の間隔距離だけ封水筒の高さを簡単に調節できる。
【００３０】
また請求項３記載の発明では、封水筒を下げたいときに封水筒の回転方向を気にすることなく、封水筒が回転する方向に回転させて容易に封水筒の取付片とフランジ片の欠切部とを位置合わせすることができる。
【図面の簡単な説明】
【図１】本発明の実施形態の排水トラップを示す要部の縦断面図であり、図３におけるＡ−Ａ断面を示す。
【図２】同上の排水トラップに用いる部品の一部を示す斜視図である。
【図３】同上の排水トラップを用いた浴室内の床下を示し、（ａ）は平面図であり、（ｂ）は側面図である。
【図４】従来の排水トラップの一例を示す要部の縦断面図である。
【符号の説明】
１    洗い場
２    トラップ本体
３    封水筒
３ａ    封水筒本体
３ｂ    取付片
３ｃ    つば部
４    浴槽排水管
５    排水主管
６    欠切部
７    フランジ片
８    ストッパ片
９    浴槽の排水口
１０    浴槽排水管
１１    洗い場排水口
１２    洗い場排水管
１３    貯水筒部
１４    筒部
１５    排水開口
１６    排水接続部
１７    導水開口
１８    導水接続部
２１    洗い場排水孔
２２    固定部材
２２ａ    水平片
２２ｂ    保持溝
２２ｃ    保持片
２２ｄ    周壁片
２２ｅ    挟持片
２３    取付部材
２３ａ    水平部
２３ｂ    内周壁部
２３ｃ    外周壁部
２３ｄ    挟持部
２３ｅ    延設片
２４    パッキン
２５    Ｌ型パイプ
【図１】
2004353212.tif 000003
【図２】
2004353212.tif 000004
【図３】
2004353212.tif 000005
【図４】
2004353212.tif 000006